(57)【要約】【課題】  本発明は従来の布帛製品にある問題点は重量、嵩高性と洗濯時の取り扱い難く、乾燥時間が長く、電気洗濯機で簡単に洗濯できない点がある。これを解決することと、そして従来に出来なかった旅行に持って行ける商品にする。【解決手段】本発明は経て編み形式で製品を製作する場合、編成組織の密度に変化を与え高収縮弾性糸の挿入と経鎖編糸、緯挿入糸の編成を同時に行いながら構想を研究し解決した．経、緯に用いる素材に高性能な速水分吸収性糸、速乾燥性の糸、発熱合成繊維糸を用い、布帛組織を全面的立体構成に編成する目的に凹凸加工用高収縮性能糸を用いる。そして使用に適したデザイン性を考慮した編成組織と高収縮弾性糸の組み合せを特徴とする。【選択図】図１２
2008154754.tif 000002
【特許請求の範囲】
【請求項１】
合成繊維フィラメントと合成繊維紡績糸で鎖状に編み、緯挿入糸により基布を編成し、前記合成フィラメントと前記合成繊維紡績糸のからんだ点を結んだ緯線と経線を一つ以上跳ばして連結挿入の収縮弾性糸を用いて編み布を作成し、前記基布に凹凸調の模様加工をした経編布帛。
【請求項２】
合成繊維の３デニール以下のフィラメントの集合糸で鎖状に編み、天然素材と合繊の混紡糸により基布を編成し、前記フィラメントと前記混紡糸のからんだ点を結んだ緯線と経線を一つ以上跳ばしてポリウレタン弾力糸と合成繊維糸との合撚糸による連結挿入糸で編み布を制作し、ポリウレタン糸の収縮力により基布に凹凸調の模様加工をした経編布帛。
【請求項３】
天然繊維糸とレーヨン系化繊糸のいずれか一方の糸を鎖状に編み、残りのどちらか一方の糸を緯挿入糸により編成した基布に、前記天然繊維糸と前記レーヨン系化繊糸のからんだ点を結んだ緯線と経線を一つ以上跳ばして高収縮性能の高捲縮コンジュゲート合成繊維糸により編み布を制作し、前記編み布全面に均一な加熱処理を施し、前記高捲縮コンジュゲート糸の熱の影響により発現する収縮テンションにより凹凸調の模様加工をした経編布帛。
【発明の詳細な説明】
【技術分野】
【０００１】
本発明は、夏冬兼用で快適に使用できる軽量、耐洗濯性に富んだ寝装用布帛を制作する目的で経編み機械による鎖状に編む糸と緯挿入糸により基布を編成し、高収縮糸を挿入する寝装用布帛である。
【背景技術】
【０００２】
従来一般に使用されている寝装用には人体に直に接するシート状の物は春用、夏用、秋冬用と季節に分かれて使用されている。従って季節によって使い分けする為、使用枚数が多く、貯蔵場所が多く必要とする。使用後の洗濯の場合には夏用の場合でも重量が重く、取り扱いしにくく、乾燥時間を必要とし、生活の合理的な時間の無駄が発生する。特に老齢者用には取り扱いに適していない問題がある。
【０００３】
この改善策としては、経て編みの機械によって通気性と保温性を兼ねた組織を作り、使用する素材を合繊フィラメントと合繊紡績糸、天然繊維紡績糸を季節目的に合わせて編成し、軽く取り扱いし易い製品を製造した。この改善策を実行する為に基礎として活用している過去の当社文献を基に、更に技術的改善を実行した。
【特許文献１】実用新案第３０６０３９５号公報
【特許文献２】特開２００２−３６９７３９号公報
【発明の開示】
【発明が解決しようとする課題】
【０００４】
本発明は従来一般に使用されている寝具類の最も問題とされている重量、乾燥、衛生、その他生活の必需性がある。これらの問題点の出来る限り軽くする必要ある目的から経編み機の特色を活用し基布の模様を空白の多い亀甲模様に制作する。従来市場にある高密度の寝具用の織物は基本的に重く平方メータあたり３００グラム以上である。当社の製品は軽く改良することを目的とする。
【課題を解決するための手段】
【０００５】
本発明の図１に示す経編機のニードルにより基布の編成状態を機械的な作動により亀甲模様の白い製品ができる、此れを考慮し製品を作るための基布として活用する。この基布を制作と同時に高性能の高収縮糸を挿入することとした。特性の収縮糸にテンションが発生し図１１に示すの写真の如く基布に波の如き立体的な製品が生まれる。この編成は洗濯後の乾燥を早くし、取り扱いを容易にする。
【発明の効果】
【０００６】
本発明の経て編機によって給糸する高収縮糸の挿入は隣接する鎖編み糸と緯挿入糸との繋がりを取りながら、高収縮弾性糸を緯度、経度一間隔以上浮かし跳び編成を行い、前記弾性糸の収縮により基布に凹凸模様を制作した。完成した製品は縦糸に紡績糸とフィラメントを活用し、軽い製品とした。通常洗濯機には従来の毛布は５〜６枚しか投入出来ないが、本発明の製品は同じ洗濯機に５〜７枚多く洗いやすく、基布に描いた亀甲編成と本発明の請求範囲に述べている全面凹凸の制作構造により乾燥時間を３０％短縮できる。本発明製品は使用する時のドレープ性に富み、柔らかい凹凸加工によって肌触りを良好にしている。軽いので高齢者、医療介護を受けている者、青少年スポーツマンの持ち運び容易な寝具として製品は好評である。
【発明を実施するための最良の形態】
【０００７】
この細かい凹凸を有するさざなみ形式の連続的なシート状の製品を完成するため編成時に発生しやすい何千本の各種性質の異なる糸のテンション斑を３ｍ巾に渡り均一にする、そして高収縮糸の加工条件による収縮倍率を何百本の中の一本とも異常にしない事が、製品化するために重要である。このさざなみ形式の連続的なシート状の製品を完成するため編成時に発生しやすい何千本の各種性質の異なる糸のテンション斑を３ｍ巾に渡り均一にする、そして高収縮糸の加工条件による収縮倍率を何百本の中の一本とも異常にしない事が、製品化するために重要である。図６の写真に示す如くシート状にした場合に消費者が満足し使用意欲を燃やすようなデザインが喜ばれている。
【実施例】
【０００８】
本発明の図１に示す経編機の糸送りガイド１、ニードル２により縦糸が鎖状に編成する状態を示す。図２は鎖糸３と緯挿入糸４を示す。図５に示す様に５の部分は緯挿入糸が無いので空白部分を示している。図６の製品が出来る。この空白部分の大小の調整は図１に示している経編機械の糸を導く図１のガイド１の間隔を変化させることで可能である。実施方法はインチ間で８本から１２本、１６本、２４本、２８本と密度を上げることが出来る。此れを製品の基布として構成する。この基布を編成するときに図７に示す６の高性能の高収縮糸を挿入することとした。この特性の作動が出来る器具を用い図８の６の如く収縮糸を緯線、経線を２段、３段から９段まで絡み点無く跳ばす事とした。図９に示すのは未完成の半製品写真である。この半製品に特殊な条件を与えると高収縮糸の性能により収縮力が発生し図１０、図１１、図１２に示す枚の写真の如く基布に凹凸の立体的な製品が生まれた。
【０００９】
本発明の凹凸立体的シート状の布帛を使うために、横幅最大３ｍの連続製品として生産する。本発明の経編布帛は経て長さ数百メートル出来るから消費者の取り扱いやすくするために必要な長さに横裁断が出来る。
【００１０】
本発明の実用的な短い長さの製品をより軽く軽く、耐洗濯性が良いと判断するために、図２の鎖状糸３に合成繊維のフィラメント緯挿入糸４に合成繊維紡績糸を用いる。
【００１１】
本発明の凹凸立体シート状の布帛の凹凸の高さ、布帛の厚さを調整するために図８に示す高収縮弾性糸６を経線、緯線の交差点、鎖糸と緯挿入糸の絡んでいる点を一つ以上跳ばして挿入をすることで凹凸の高さに変化をさせる。
【００１２】
本発明の布帛の凹凸部分を柔らかさ、硬さに変化をさせる場合は、高収縮弾性糸を高捲縮コンジュゲート糸を用い、図９の如き半製品の状態に、高周波振動を与えながら高温風を与えることにより凹凸の立体形状の製品が出来る。振動条件と温風条件により柔軟性の変化を持たせる。
【産業上の利用可能性】
【００１３】
従来から厚布帛に用いられているのはほとんどが織機による織物製品であった、しかしそれらは早くから製造を着手する為に、材料の手配、配色指図、販売価格の予測をしなければならない、本発明によると生産の速度が速く、機械的なデザイン変更が容易に出来、亀甲模様も簡単に変えることが出来る。更に消費者の最も要求の強いのは軽くて、洗濯時の乾燥速度を速くすることである。この世相に反映させるためには充分である。
【図面の簡単な説明】
【００１４】
【図１】従来の経編機の経糸ガイドと鎖編みのためのニードルを示す図
【図２】従来の基布の編成状態を示す実態図
【図３】従来の制作模型図
【図４】本発明の実施例を示す鎖状に編む糸と緯挿入糸の編成によって製造される状態を説明する一部制作指示図
【図５】本発明の実施例の亀甲状の空白部分を編成するための制作指示図
【図６】本発明の実施例の図５の制作指示図によって実際に製品が出来た図
【図７】本発明の実施例の図６の基布を凹凸にするため高収縮弾性糸を挿入する為の指示図
【図８】本発明の実施例の高収縮弾性糸の挿入方法の製作指示図
【図９】本発明の実施例の凹凸を発現する前の半製品を示す図
【図１０】本発明の実施例の高収縮弾性糸の収縮を示す図
【図１１】本発明の実施例の高収縮弾性糸の完全な収縮発現によって出来た製品図
【図１２】本発明の実施例の高収縮弾性糸の種類を変え凹凸発現に変化を与えた図
【図１】
2008154754.tif 000003
【図２】
2008154754.tif 000004
【図３】
2008154754.tif 000005
【図４】
2008154754.tif 000006
【図５】
2008154754.tif 000007
【図６】
2008154754.tif 000008
【図７】
2008154754.tif 000009
【図８】
2008154754.tif 000010
【図９】
2008154754.tif 000011
【図１０】
2008154754.tif 000012
【図１１】
2008154754.tif 000013
【図１２】
2008154754.tif 000014
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
合成繊維糸或いは天然繊維糸と合成繊維紡績糸とで鎖状の基布を編成し、過熱により収縮する収縮弾性糸を前記の鎖状にからんだ点を一つ以上とばして連結挿入した経編布帛。
【請求項２】
収縮弾性糸に捲縮フィラメントまたはポリウレタン系糸を用いた請求項１に記載の経編布帛。